(57)【要約】【課題】本発明は、吹出型の空調システムと床面型の空調システムの長所を兼ね備えた空調システムを提供する。【解決手段】建物１Ａの床下空間４に屋内機３が設置されており、居間５１の床部１ａに給気口７Ａと排気口８Ａとが設けられ、水回り設備室５２の床部１ａに給気口７Ｂが設けられ、ホール５３の床部１ａに排気口８Ｂが設けられており、空調空気吹出部３２と給気口７Ａ，７Ｂとの間はダクト９２、分岐チャンバ１１Ｂ、ダクト９２Ａ，９２Ｂを介して接続され、空調空気吸込部３１と排気口８Ａ，８Ｂとの間はダクト９１、分岐チャンバ１１Ａ、ダクト９１Ａ，９１Ｂを介して接続されており、居間５１の床部１ａ内には通気層１０が形成されており、床空調空気吹出部３４及び床空調空気吸込部３３と通気層１０との間はダクト９３，９４を介して接続された構成とされている。【選択図】図１
2012021736.tif 000002
【特許請求の範囲】
【請求項１】
居室空間と非居室空間とを有する床上空間を備えた建物の床下空間に、空調装置として、屋外機と熱媒循環管路により接続された屋内機が設置されており、
前記建物の前記床上空間には、給気口が少なくとも前記非居室空間に面して設けられ、排気口が前記居室空間又は前記非居室空間の少なくともいずれか一方に面して設けられており、
前記屋内機に設けられた空調空気吹出部と前記給気口との間、及び前記屋内機に設けられた空調空気吸込部と前記排気口との間は、ダクトを介して、それぞれ接続されており、
前記居室空間の床内には、通気層が形成されており、
前記屋内機に設けられた床空調空気吹出部及び床空調空気吸込部と前記通気層との間は、ダクトを介して、それぞれ接続されていることを特徴とする空調システム。
【請求項２】
居室空間と非居室空間とを有する床上空間を備えた建物の床下空間に、空調装置として、屋外機と熱媒循環管路により接続された屋内機が設置されており、
前記建物の前記床上空間には、給気口が少なくとも前記非居室空間に面して設けられ、排気口が前記居室空間又は前記非居室空間の少なくともいずれか一方に面して設けられており、
前記屋内機に設けられた空調空気吹出部と前記給気口との間、及び前記屋内機に設けられた空調空気吸込部と前記排気口との間は、ダクトを介して、それぞれ接続されており、
前記居室空間の床内には、放熱管が配設されており、
前記屋内機に接続された前記熱媒循環管路とは別の熱媒循環管路により前記屋外機と前記放熱管との間が接続されていることを特徴とする空調システム。
【請求項３】
前記非居室空間は、水回り設備室とされており、前記屋内機は、除湿機能を有していることを特徴とする請求項１又は２に記載の空調システム。
【請求項４】
前記床上空間の床の下側には、断熱層が形成されていることを特徴とする請求項１乃至３のいずれか１項に記載の空調システム。
【請求項５】
請求項１乃至４のいずれか１項に記載の空調システムを備えていることを特徴とする建物。
【発明の詳細な説明】
【技術分野】
【０００１】
本発明は、建物の空調システム及びこの空調システムを備えた建物に関するものである。
【背景技術】
【０００２】
従来から、建物の床下空間に設置した空調装置から床上空間へ空調用の空気の吹き出しを行う構成の吹出型の空調システムが知られている（例えば、特許文献１等を参照）。
【０００３】
また、建物の床内に熱媒を循環させて床面からの冷暖房を行う構成の床面型の空調システムも知られている（例えば、特許文献２等を参照）。
【先行技術文献】
【特許文献】
【０００４】
【特許文献１】特開２０１０−１０７０８５号公報
【特許文献２】特開２００９−１６８４１６号公報
【発明の概要】
【発明が解決しようとする課題】
【０００５】
しかしながら、特許文献１のような従来の吹出型の空調システムでは、建物の床上空間をすぐさま冷暖房するのには向いており、建物全体を冷暖房するにしても比較的安価に実施でき、経済的ではあるものの、居住者が長時間滞在する居間などの居室空間をより快適に冷暖房するには、改善の余地があった。
【０００６】
また、特許文献２のような床面型の空調システムでは、建物の床面からの心地よい快適な冷暖房は行えるものの、即効性に欠け、建物全体を冷暖房するには比較的高価となり、やや不経済であった。
【０００７】
そこで、本発明は、吹出型の空調システムと床面型の空調システムの長所を兼ね備えた空調システム及びこの空調システムを備えた建物を提供することを目的としている。
【課題を解決するための手段】
【０００８】
前記目的を達成するために、本発明の第１の空調システムは、居室空間と非居室空間とを有する床上空間を備えた建物の床下空間に、空調装置として、屋外機と熱媒循環管路により接続された屋内機が設置されており、前記建物の前記床上空間には、給気口が少なくとも前記非居室空間に面して設けられ、排気口が前記居室空間又は前記非居室空間の少なくとも一方に面して設けられており、前記屋内機に設けられた空調空気吹出部と前記給気口との間、及び前記屋内機に設けられた空調空気吸込部と前記排気口との間は、ダクトを介して、それぞれ接続されており、前記居室空間の床内には、通気層が形成されており、前記屋内機に設けられた床空調空気吹出部及び床空調空気吸込部と前記通気層との間は、ダクトを介して、それぞれ接続されていることを特徴とする。
【０００９】
本発明の第２の空調システムは、居室空間と非居室空間とを有する床上空間を備えた建物の床下空間に、空調装置として、屋外機と熱媒循環管路により接続された屋内機が設置されており、前記建物の前記床上空間には、給気口が少なくとも前記非居室空間に面して設けられ、排気口が前記居室空間又は前記非居室空間の少なくとも一方に面して設けられており、前記屋内機に設けられた空調空気吹出部と前記給気口との間、及び前記屋内機に設けられた空調空気吸込部と前記排気口との間は、ダクトを介して、それぞれ接続されており、前記居室空間の床内には、放熱管が配設されており、前記屋内機に接続された前記熱媒循環管路とは別の熱媒循環管路により前記屋外機と前記放熱管との間が接続されていることを特徴とする。
【００１０】
ここで、前記非居室空間は、水回り設備室とされており、前記屋内機は、除湿機能を有しているとよい。
【００１１】
また、前記床上空間の床の下側には、断熱層が形成されているとよい。
【００１２】
本発明の建物は、上記した空調システムを備えていることを特徴とする。
【発明の効果】
【００１３】
このような本発明の第１の空調システムは、居室空間と非居室空間とを有する床上空間を備えた建物の床下空間に、空調装置として、屋外機と熱媒循環管路により接続された屋内機が設置されている。
【００１４】
そして、建物の床上空間には、給気口が少なくとも非居室空間に面して設けられ、排気口が前記居室空間又は前記非居室空間の少なくとも一方に面して設けられており、屋内機に設けられた空調空気吹出部と給気口との間、及び屋内機に設けられた空調空気吸込部と排気口との間は、ダクトを介して、それぞれ接続されている。
【００１５】
そのうえで、居室空間の床内には、通気層が形成されており、屋内機に設けられた床空調空気吹出部及び床空調空気吸込部と通気層との間は、ダクトを介して、それぞれ接続された構成とされている。
【００１６】
こうした構成なので、居住者が短時間滞在するだけの水回り設備室やホールなどの非居室空間では、比較的経済的な給気口からの吹出型の空調により、それなりに快適な冷暖房が行えるとともに、居住者が長時間滞在する居間などの居室空間では、通気層を利用した床面型の空調により、床面からの心地よい快適な冷暖房が行え、建物全体として、快適性と経済性とを兼ね備えた冷暖房が行える。
【００１７】
このような本発明の第２の空調システムは、居室空間と非居室空間とを有する床上空間を備えた建物の床下空間に、空調装置として、屋外機と熱媒循環管路により接続された屋内機が設置されている。
【００１８】
そして、建物の床上空間には、給気口が少なくとも非居室空間に面して設けられ、排気口が前記居室空間又は前記非居室空間の少なくとも一方に面して設けられており、屋内機に設けられた空調空気吹出部と給気口との間、及び屋内機に設けられた空調空気吸込部と排気口との間は、ダクトを介して、それぞれ接続されている。
【００１９】
そのうえで、居室空間の床内には、放熱管が配設されており、屋内機に接続された熱媒循環管路とは別の熱媒循環管路により屋外機と放熱管との間が接続された構成とされている。
【００２０】
こうした構成なので、居住者が短時間滞在するだけの水回り設備室やホールなどの非居室空間では、比較的経済的な給気口からの吹出型の空調により、それなりに快適な冷暖房が行えるとともに、居住者が長時間滞在する居間などの居室空間では、放熱管を利用した床面型の空調により、床面からの心地よい快適な冷暖房が行え、建物全体として、快適性と経済性とを兼ね備えた冷暖房が行える。
【００２１】
ここで、非居室空間は、水回り設備室とされており、屋内機は、除湿機能を有している場合は、一年中湿気の多い水回り設備室を、夏場は、除湿冷房し、冬場は、暖房することにより、湿気を取り除き、雨の日などにおける臨時の洗濯物干しスペースとして利用することができる。
【００２２】
また、床上空間の床の下側には、断熱層が形成されている場合は、断熱層により空調の熱が床下空間に漏れないので、より効率的な空調を行うことができる。
【００２３】
このような本発明の建物は、上記した空調システムを備えた構成とされている。
【００２４】
こうした構成なので、上記した空調システムの効果を奏する建物とすることができる。
【図面の簡単な説明】
【００２５】
【図１】実施例１の空調システムを備えた建物の概略構成を説明する説明図である。
【図２】実施例１の空調システムにおいて、吹出型の暖房又は冷房の空調運転を行った状態を示す説明図である。
【図３】実施例１の空調システムにおいて、床面型の暖房又は冷房の空調運転を行った状態を示す説明図である。
【図４】実施例１の空調システムにおいて、吹出型の暖房及び床面型の暖房又は吹出型の冷房及び床面型の冷房の空調運転を行った状態を示す説明図である。
【図５】実施例２の空調システムを備えた建物の概略構成を説明する説明図である。
【図６】実施例２の空調システムにおいて、吹出型の暖房又は冷房の空調運転を行った状態を示す説明図である。
【図７】実施例２の空調システムにおいて、床面型の暖房又は冷房の空調運転を行った状態を示す説明図である。
【図８】実施例２の空調システムにおいて、吹出型の暖房及び床面型の暖房又は吹出型の冷房及び床面型の冷房の空調運転を行った状態を示す説明図である。
【発明を実施するための形態】
【００２６】
以下、本発明を実施するための形態を、図面に示す実施例１，２に基づいて説明する。
【実施例１】
【００２７】
先ず、実施例１の構成について説明する。
【００２８】
図１は、実施例１の空調システムを備えた建物１Ａの概略構成を示している。
【００２９】
まず、このような建物１Ａは、基礎断熱として構築された基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
【００３０】
そして、この天井部１ｅと外壁部１ｄとに囲まれる空間は、床としての床部１ａによって床下空間４と床上空間５とが区切られている。
【００３１】
さらに、床上空間５は、中間壁１ｆ，１ｇが設けられており、居室空間としての居間５１と、非居室空間としての水回り設備室５２と、非居室空間としてのホール５３とに区画されている。
【００３２】
ここで、ホール５３と居間５１との間の中間壁１ｆには、出入口としてのドア５１ａが設けられており、このドア５１ａの下側と床部１ａとの間には、隙間は設けられていない。
【００３３】
また、ホール５３と水回り設備室５２との間の中間壁１ｇには、出入口としてのドア５２ａが設けられており、このドア５２ａの下側と床部１ａとの間には、空調用排気口としての隙間６が設けられている。
【００３４】
そして、この実施例１の空調システムでは、床下空間４に空調装置としてのエアコンディショナの屋内機３が設置されている。
【００３５】
この空調装置としてのエアコンディショナの屋内機３は、冷暖房機能及び除湿機能を有している。
【００３６】
ここで、このエアコンディショナの屋内機３は、ヒートポンプ式であり、建物１Ａの屋外に設置された屋外機２と熱媒循環管路２１により接続されている。
【００３７】
また、このエアコンディショナの屋内機３では、その上流側に、空調空気吸込部３１と床空調空気吸込部３３とを備え、その下流側には、空調空気吹出部３２と床空調空気吹出部３４とを備えている。
【００３８】
なお、このエアコンディショナの屋内機３には、空調空気吹出部３２と床空調空気吹出部３４とから空調用の空気を吹き出させることが可能なファン（図示せず）が内蔵されている。
【００３９】
一方で、建物１Ａにおいて、図１に示したように、居室空間としての居間５１の床部１ａには、グリル付きの給気口７Ａと、グリル付きの排気口８Ａとが設けられている。
【００４０】
また、非居室空間としての水回り設備室５２の床部１ａには、グリル付きの給気口７Ｂが設けられている。
【００４１】
さらに、非居室空間としてのホール５３の床部１ａには、グリル付きの排気口８Ｂが設けられている。
【００４２】
そのうえで、居室空間としての居間５１の床部１ａの内部には、通気層１０が形成されている。
【００４３】
また、床部１ａの下側には、グラスウールなどの断熱材が貼設されており、断熱層１２が形成されている。
【００４４】
そして、空調装置としてのエアコンディショナの屋内機３の空調空気吸込部３１と居間５１の排気口８Ａとの間は、ダクト９１、分岐チャンバ１１Ａ、及びダクト９１Ａを介して接続されている。
【００４５】
また、空調空気吸込部３１とホール５３の排気口８Ｂとの間は、ダクト９１、分岐チャンバ１１Ａ、及びダクト９１Ｂを介して接続されている。
【００４６】
さらに、空調空気吹出部３２と居間５１の給気口７Ａとの間は、ダクト９２、分岐チャンバ１１Ｂ、及びダクト９２Ａを介して接続されている。
【００４７】
また、空調空気吹出部３２と水回り設備室５２の給気口７Ｂとの間は、ダクト９２、分岐チャンバ１１Ｂ、及びダクト９２Ｂを介して接続されている。
【００４８】
さらには、床空調空気吸込部３３と居間５１の床部１ａの内部に形成された通気層１０との間は、ダクト９３を介して接続されているとともに、床空調空気吹出部３４と通気層１０との間は、ダクト９４を介して接続されている。
【００４９】
そして、このエアコンディショナの屋内機３には、図示省略の制御部が内蔵されている。
【００５０】
さらに、床上空間５には、この実施例１の空調システムを所望の運転パターンに設定するための図示省略のコントローラが設けられている。
【００５１】
そして、このコントローラから制御部へ設定信号が送信され、空調装置としてのエアコンディショナの屋内機３が、その設定信号に基づいて制御される。
【００５２】
次に、実施例１の空調システムの運転パターンについて説明する。
【００５３】
なお、図２〜図４では、空調用の空気の流れは白抜矢印で示し、床空調空気の流れを黒矢印で示し、床空調用の空気の熱の伝わりは点線矢印で示して説明する。
【００５４】
先ずは、暖房を行う際の空調運転時のパターンについて説明する。
【００５５】
まず、床上空間５を、吹出型の暖房のみで暖めたいときは、空調装置としてのエアコンディショナの屋内機３の空調空気吸込部３１から空調用の空気を吸い込み、空調空気吹出部３２から空調用の空気（暖気）を吹き出す制御を行う。
【００５６】
このように制御を行うと、図２に示したように、居間５１の排気口８Ａから吸い込まれた空調用の空気は、ダクト９１Ａ、分岐チャンバ１１Ａ、及びダクト９１を通って、エアコンディショナの屋内機３の空調空気吸込部３１から吸い込まれる。
【００５７】
また、ホール５３の排気口８Ｂから吸い込まれた空調用の空気も、ダクト９１Ｂ、分岐チャンバ１１Ａ、及びダクト９１を通って、エアコンディショナの屋内機３の空調空気吸込部３１から吸い込まれる。
【００５８】
ここで、空調空気吹出部３２から吹き出された空調用の空気（暖気）のうち、ダクト９２を通り、分岐チャンバ１１Ｂでダクト９２Ａ側へ分岐された分は、給気口７Ａから居間５１へ給気される。
【００５９】
そして、この空調用の空気（暖気）は、居間５１を空調した後、排気口８Ａからダクト９１Ａ内へ排気される。
【００６０】
また、空調空気吹出部３２から吹き出された空調用の空気（暖気）のうち、ダクト９２を通り、分岐チャンバ１１Ｂからダクト９２Ｂ側へ分岐された分は、給気口７Ｂから水回り設備室５２へ給気される。
【００６１】
そして、この空調用の空気（暖気）は、水回り設備室５２を空調した後、空調用排気口としてのドア５２ａの隙間６からホール５３へ排気され、ホール５３も空調した後、排気口８Ｂからダクト９１Ｂ内へ排気される。
【００６２】
すなわち、この循環を繰り返す。
【００６３】
次に、床上空間５の居間５１を、床面型の暖房のみで暖めたいときは、空調装置としてのエアコンディショナの屋内機３の床空調空気吸込部３３から床空調用の空気を吸い込み、床空調空気吹出部３４から空調用の空気（暖気）を吹き出す制御を行う。
【００６４】
このように制御を行うと、図３に示したように、床空調空気吹出部３４から吹き出された床空調用の空気（暖気）は、ダクト９４を通って、床部１ａから暖かい熱を放出しながら通気層１０内を循環し、居間５１を空調した後、ダクト９３内へ排気される。
【００６５】
すなわち、この循環を繰り返す。
【００６６】
次に、床上空間５、特に、居間５１を、吹出型の暖房と床面型の暖房との両方で暖めたいときは、換気空調装置としてのエアコンディショナの屋内機３の空調空気吸込部３１から空調用の空気を吸い込み、空調空気吹出部３２から空調用の空気（暖気）を吹き出すとともに、床空調空気吸込部３３から床空調用の空気を吸い込み、床空調空気吹出部３４から空調用の空気（暖気）を吹き出す制御を行う。
【００６７】
このように制御を行うと、図４に示したように、居間５１の排気口８Ａから吸い込まれた空調用の空気は、ダクト９１Ａ、分岐チャンバ１１Ａ、及びダクト９１を通って、エアコンディショナの屋内機３の空調空気吸込部３１から吸い込まれる。
【００６８】
また、ホール５３の排気口８Ｂから吸い込まれた空調用の空気も、ダクト９１Ｂ、分岐チャンバ１１Ａ、及びダクト９１を通って、エアコンディショナの屋内機３の空調空気吸込部３１から吸い込まれる。
【００６９】
ここで、空調空気吹出部３２から吹き出された空調用の空気（暖気）のうち、ダクト９２を通り、分岐チャンバ１１Ｂでダクト９２Ａ側へ分岐された分は、給気口７Ａから居間５１へ給気される。
【００７０】
そして、この空調用の空気（暖気）は、居間５１を空調した後、排気口８Ａからダクト９１Ａ内へ排気される。
【００７１】
また、空調空気吹出部３２から吹き出された空調用の空気（暖気）のうち、ダクト９２を通り、分岐チャンバ１１Ｂからダクト９２Ｂ側へ分岐された分は、給気口７Ｂから水回り設備室５２へ給気される。
【００７２】
そして、この空調用の空気（暖気）は、水回り設備室５２を空調した後、空調用排気口としてのドア５２ａの隙間６からホール５３へ排気され、ホール５３も空調した後、排気口８Ｂからダクト９１Ｂ内へ排気される。
【００７３】
これと同時に、床空調空気吹出部３４から吹き出された床空調用の空気（暖気）は、ダクト９４を通って、床部１ａから暖かい熱を放出しながら通気層１０内を循環し、居間５１を空調した後、ダクト９３内へ排気される。
【００７４】
すなわち、この循環を繰り返す。
【００７５】
次に、冷房を行う際の空調運転時のパターンについて説明する。
【００７６】
まず、床上空間５を、吹出型の冷房のみで冷やしたいときは、空調装置としてのエアコンディショナの屋内機３の除湿機能をオンにし、空調空気吸込部３１から空調用の空気を吸い込み、空調空気吹出部３２から乾燥した空調用の空気（冷気）を吹き出す制御を行う。
【００７７】
このように制御を行うと、図２に示したように、居間５１の排気口８Ａから吸い込まれた空調用の空気は、ダクト９１Ａ、分岐チャンバ１１Ａ、及びダクト９１を通って、エアコンディショナの屋内機３の空調空気吸込部３１から吸い込まれる。
【００７８】
また、ホール５３の排気口８Ｂから吸い込まれた空調用の空気も、ダクト９１Ｂ、分岐チャンバ１１Ａ、及びダクト９１を通って、エアコンディショナの屋内機３の空調空気吸込部３１から吸い込まれる。
【００７９】
ここで、空調空気吹出部３２から吹き出された乾燥した空調用の空気（冷気）のうち、ダクト９２を通り、分岐チャンバ１１Ｂでダクト９２Ａ側へ分岐された分は、給気口７Ａから居間５１へ給気される。
【００８０】
そして、この乾燥した空調用の空気（冷気）は、居間５１を空調した後、排気口８Ａからダクト９１Ａ内へ排気される。
【００８１】
また、空調空気吹出部３２から吹き出された乾燥した空調用の空気（冷気）のうち、ダクト９２を通り、分岐チャンバ１１Ｂからダクト９２Ｂ側へ分岐された分は、給気口７Ｂから水回り設備室５２へ給気される。
【００８２】
そして、この乾燥した空調用の空気（冷気）は、水回り設備室５２を空調した後、空調用排気口としてのドア５２ａの隙間６からホール５３へ排気され、ホール５３も空調した後、排気口８Ｂからダクト９１Ｂ内へ排気される。
【００８３】
すなわち、この循環を繰り返す。
【００８４】
次に、床上空間５の居間５１を、床面型の冷房のみで冷やしたいときは、空調装置としてのエアコンディショナの屋内機３の床空調空気吸込部３３から床空調用の空気を吸い込み、床空調空気吹出部３４から空調用の空気（冷気）を吹き出す制御を行う。
【００８５】
このように制御を行うと、図３に示したように、床空調空気吹出部３４から吹き出された床空調用の空気（冷気）は、ダクト９４を通って、床部１ａから冷たい熱を放出しながら通気層１０内を循環し、居間５１を空調した後、ダクト９３内へ排気される。
【００８６】
すなわち、この循環を繰り返す。
【００８７】
次に、床上空間５、特に、居間５１を、吹出型の冷房と床面型の冷房との両方で冷やしたいときは、換気空調装置としてのエアコンディショナの屋内機３の除湿機能をオンにし、空調空気吸込部３１から空調用の空気を吸い込み、空調空気吹出部３２から乾燥した空調用の空気（冷気）を吹き出すとともに、床空調空気吸込部３３から床空調用の空気を吸い込み、床空調空気吹出部３４から空調用の空気（冷気）を吹き出す制御を行う。
【００８８】
このように制御を行うと、図４に示したように、居間５１の排気口８Ａから吸い込まれた空調用の空気は、ダクト９１Ａ、分岐チャンバ１１Ａ、及びダクト９１を通って、エアコンディショナの屋内機３の空調空気吸込部３１から吸い込まれる。
【００８９】
また、ホール５３の排気口８Ｂから吸い込まれた空調用の空気も、ダクト９１Ｂ、分岐チャンバ１１Ａ、及びダクト９１を通って、エアコンディショナの屋内機３の空調空気吸込部３１から吸い込まれる。
【００９０】
ここで、空調空気吹出部３２から吹き出された乾燥した空調用の空気（冷気）のうち、ダクト９２を通り、分岐チャンバ１１Ｂでダクト９２Ａ側へ分岐された分は、給気口７Ａから居間５１へ給気される。
【００９１】
そして、この乾燥した空調用の空気（冷気）は、居間５１を空調した後、排気口８Ａからダクト９１Ａ内へ排気される。
【００９２】
また、空調空気吹出部３２から吹き出された乾燥した空調用の空気（冷気）のうち、ダクト９２を通り、分岐チャンバ１１Ｂからダクト９２Ｂ側へ分岐された分は、給気口７Ｂから水回り設備室５２へ給気される。
【００９３】
そして、この乾燥した空調用の空気（冷気）は、水回り設備室５２を空調した後、空調用排気口としてのドア５２ａの隙間６からホール５３へ排気され、ホール５３も空調した後、排気口８Ｂからダクト９１Ｂ内へ排気される。
【００９４】
これと同時に、床空調空気吹出部３４から吹き出された床空調用の空気（冷気）は、ダクト９４を通って、床部１ａから冷たい熱を放出しながら通気層１０内を循環し、居間５１を空調した後、ダクト９３内へ排気される。
【００９５】
すなわち、この循環を繰り返す。
【００９６】
次に、実施例１の作用効果について説明する。
【００９７】
このような実施例１の空調システムは、居室空間としての居間５１と非居室空間としての水回り設備室５２及びホール５３とを有する床上空間５を備えた建物１Ａの床下空間４に、ヒートポンプ式の屋外機２と熱媒循環管路２１により接続された空調装置としてのエアコンディショナの屋内機３が設置されている。
【００９８】
そして、居間５１の床部１ａに給気口７Ａと排気口８Ａとが設けられ、水回り設備室５２の床部１ａに給気口７Ｂが設けられ、ホール５３の床部１ａに排気口８Ｂが設けられており、屋内機３に設けられた空調空気吹出部３２と給気口７Ａ，７Ｂとの間は、ダクト９２、分岐チャンバ１１Ｂ、ダクト９２Ａ，９２Ｂを介して、それぞれ接続されているとともに、屋内機３に設けられた空調空気吸込部３１と排気口８Ａ，８Ｂとの間は、ダクト９１、分岐チャンバ１１Ａ、ダクト９１Ａ，９１Ｂを介して、それぞれ接続されている。
【００９９】
そのうえで、居間５１の床部１ａ内には、通気層１０が形成されており、屋内機３に設けられた床空調空気吹出部３４及び床空調空気吸込部３３と通気層１０との間は、ダクト９３，９４を介して、それぞれ接続された構成とされている。
【０１００】
こうした構成なので、居住者が短時間滞在するだけの非居室空間としての水回り設備室５２やホール５３では、比較的経済的な給気口７Ｂからの吹出型の空調により、それなりに快適な冷暖房が行えるとともに、居住者が長時間滞在する居室空間としての居間５１では、通気層１０を利用した床面型の空調により、床面からの心地よい快適な冷暖房が行え、建物１Ａ全体として、快適性と経済性とを兼ね備えた冷暖房が行える。
【０１０１】
また、居間５１では、給気口７Ａからの吹出型の空調も行え、より快適な冷暖房も行える。
【０１０２】
さらに、ヒートポンプを用いるため、省エネルギー性能に優れたものとすることができる。
【０１０３】
ここで、非居室空間は、水回り設備室５２とされており、屋内機３は、除湿機能を有している。
【０１０４】
このため、一年中湿気の多い水回り設備室５２を、夏場は、除湿冷房し、冬場は、暖房することにより、湿気を取り除き、雨の日などにおける臨時の洗濯物干しスペースとして利用することができる。
【０１０５】
また、床上空間５の床部１ａの下側には、断熱層１２が形成されている。
【０１０６】
このため、断熱層１２により空調の熱が床下空間４に漏れないので、より効率的な空調を行うことができる。
【０１０７】
このような実施例１の建物１Ａは、実施例１の空調システムを備えた構成とされている。
【０１０８】
このような構成なので、上記した実施例１の空調システムの作用効果を奏する建物とすることができる。
【実施例２】
【０１０９】
次に、実施例２について説明する。
【０１１０】
なお、実施例１で説明した内容と同一乃至均等な部分の説明については同一符号を付して説明する。
【０１１１】
図５は、実施例２の空調システムを備えた建物１Ｂの概略構成を示している。
【０１１２】
この実施例２の建物１Ｂでは、居室空間としての居間５１の床部１ａ内に、通気層１０の代わりに放熱管１３が配設されており、この放熱管１３には、屋外機２０から屋内機３０と接続される熱媒循環管路２１とは別の熱媒循環管路２２が接続されている。
【０１１３】
ここで、この別の熱媒循環管路２２は、往路管２２Ａと復路管２２Ｂとから成り、熱媒としての水（温水又は冷水）が循環する。
【０１１４】
また、エアコンディショナの屋内機３０には、床空調空気吸込部３３と床空調空気吹出部３４とが設けられていない。
【０１１５】
さらに、ダクト９３，９４も設けられていない。
【０１１６】
すなわち、これらの構成が実施例１の建物１Ａと主に異なる。
【０１１７】
次に、実施例２の空調システムの運転パターンについて説明する。
【０１１８】
なお、図６〜図８では、空調用の空気の流れは白抜矢印で示し、熱媒としての水（温水又は冷水）の流れを黒矢印で示し、熱媒としての水（温水又は冷水）の熱の伝わりは点線矢印で示して説明する。
【０１１９】
先ずは、暖房を行う際の空調運転時のパターンについて説明する。
【０１２０】
まず、床上空間５を、吹出型の暖房のみで暖めたいときは、空調装置としてのエアコンディショナの屋内機３０の空調空気吸込部３１から空調用の空気を吸い込み、空調空気吹出部３２から空調用の空気（暖気）を吹き出す制御を行う。
【０１２１】
このように制御を行うと、図６に示したように、居間５１の排気口８Ａから吸い込まれた空調用の空気は、ダクト９１Ａ、分岐チャンバ１１Ａ、及びダクト９１を通って、エアコンディショナの屋内機３０の空調空気吸込部３１から吸い込まれる。
【０１２２】
また、ホール５３の排気口８Ｂから吸い込まれた空調用の空気も、ダクト９１Ｂ、分岐チャンバ１１Ａ、及びダクト９１を通って、エアコンディショナの屋内機３０の空調空気吸込部３１から吸い込まれる。
【０１２３】
ここで、空調空気吹出部３２から吹き出された空調用の空気（暖気）のうち、ダクト９２を通り、分岐チャンバ１１Ｂでダクト９２Ａ側へ分岐された分は、給気口７Ａから居間５１へ給気される。
【０１２４】
そして、この空調用の空気（暖気）は、居間５１を空調した後、排気口８Ａからダクト９１Ａ内へ排気される。
【０１２５】
また、空調空気吹出部３２から吹き出された空調用の空気（暖気）のうち、ダクト９２を通り、分岐チャンバ１１Ｂからダクト９２Ｂ側へ分岐された分は、給気口７Ｂから水回り設備室５２へ給気される。
【０１２６】
そして、この空調用の空気（暖気）は、水回り設備室５２を空調した後、空調用排気口としてのドア５２ａの隙間６からホール５３へ排気され、ホール５３も空調した後、排気口８Ｂからダクト９１Ｂ内へ排気される。
【０１２７】
すなわち、この循環を繰り返す。
【０１２８】
次に、床上空間５の居間５１を、床面型の暖房のみで暖めたいときは、屋外機２０から別の熱媒循環管路２２を介して、熱媒としての水（温水）を放熱管１３内で循環させる制御を行う。
【０１２９】
このように制御を行うと、図７に示したように、屋外機２０から供給された水（温水）は、往路管２２Ａを通って、床部１ａから暖かい熱を放出しながら放熱管１３内を循環し、居間５１を空調した後、復路管２２Ｂを通って、屋外機２０へ戻る。
【０１３０】
すなわち、この循環を繰り返す。
【０１３１】
次に、床上空間５、特に、居間５１を、吹出型の暖房と床面型の暖房との両方で暖めたいときは、換気空調装置としてのエアコンディショナの屋内機３０の空調空気吸込部３１から空調用の空気を吸い込み、空調空気吹出部３２から空調用の空気（暖気）を吹き出すとともに、屋外機２０から別の熱媒循環管路２２を介して、熱媒としての水（温水）を放熱管１３内で循環させる制御を行う。
【０１３２】
このように制御を行うと、図８に示したように、居間５１の排気口８Ａから吸い込まれた空調用の空気は、ダクト９１Ａ、分岐チャンバ１１Ａ、及びダクト９１を通って、エアコンディショナの屋内機３０の空調空気吸込部３１から吸い込まれる。
【０１３３】
また、ホール５３の排気口８Ｂから吸い込まれた空調用の空気も、ダクト９１Ｂ、分岐チャンバ１１Ａ、及びダクト９１を通って、エアコンディショナの屋内機３０の空調空気吸込部３１から吸い込まれる。
【０１３４】
ここで、空調空気吹出部３２から吹き出された空調用の空気（暖気）のうち、ダクト９２を通り、分岐チャンバ１１Ｂでダクト９２Ａ側へ分岐された分は、給気口７Ａから居間５１へ給気される。
【０１３５】
そして、この空調用の空気（暖気）は、居間５１を空調した後、排気口８Ａからダクト９１Ａ内へ排気される。
【０１３６】
また、空調空気吹出部３２から吹き出された空調用の空気（暖気）のうち、ダクト９２を通り、分岐チャンバ１１Ｂからダクト９２Ｂ側へ分岐された分は、給気口７Ｂから水回り設備室５２へ給気される。
【０１３７】
そして、この空調用の空気（暖気）は、水回り設備室５２を空調した後、空調用排気口としてのドア５２ａの隙間６からホール５３へ排気され、ホール５３も空調した後、排気口８Ｂからダクト９１Ｂ内へ排気される。
【０１３８】
これと同時に、屋外機２０から供給された水（温水）は、往路管２２Ａを通って、床部１ａから暖かい熱を放出しながら放熱管１３内を循環し、居間５１を空調した後、復路管２２Ｂを通って、屋外機２０へ戻る。
【０１３９】
すなわち、この循環を繰り返す。
【０１４０】
次に、冷房を行う際の空調運転時のパターンについて説明する。
【０１４１】
まず、床上空間５を、吹出型の冷房のみで冷やしたいときは、空調装置としてのエアコンディショナの屋内機３０の除湿機能をオンにし、空調空気吸込部３１から空調用の空気を吸い込み、空調空気吹出部３２から乾燥した空調用の空気（冷気）を吹き出す制御を行う。
【０１４２】
このように制御を行うと、図６に示したように、居間５１の排気口８Ａから吸い込まれた空調用の空気は、ダクト９１Ａ、分岐チャンバ１１Ａ、及びダクト９１を通って、エアコンディショナの屋内機３０の空調空気吸込部３１から吸い込まれる。
【０１４３】
また、ホール５３の排気口８Ｂから吸い込まれた空調用の空気も、ダクト９１Ｂ、分岐チャンバ１１Ａ、及びダクト９１を通って、エアコンディショナの屋内機３０の空調空気吸込部３１から吸い込まれる。
【０１４４】
ここで、空調空気吹出部３２から吹き出された乾燥した空調用の空気（冷気）のうち、ダクト９２を通り、分岐チャンバ１１Ｂでダクト９２Ａ側へ分岐された分は、給気口７Ａから居間５１へ給気される。
【０１４５】
そして、この乾燥した空調用の空気（冷気）は、居間５１を空調した後、排気口８Ａからダクト９１Ａ内へ排気される。
【０１４６】
また、空調空気吹出部３２から吹き出された乾燥した空調用の空気（冷気）のうち、ダクト９２を通り、分岐チャンバ１１Ｂからダクト９２Ｂ側へ分岐された分は、給気口７Ｂから水回り設備室５２へ給気される。
【０１４７】
そして、この乾燥した空調用の空気（冷気）は、水回り設備室５２を空調した後、空調用排気口としてのドア５２ａの隙間６からホール５３へ排気され、ホール５３も空調した後、排気口８Ｂからダクト９１Ｂ内へ排気される。
【０１４８】
すなわち、この循環を繰り返す。
【０１４９】
次に、床上空間５の居間５１を、床面型の冷房のみで冷やしたいときは、屋外機２０から別の熱媒循環管路２２を介して、熱媒としての水（冷水）を放熱管１３内で循環させる制御を行う。
【０１５０】
このように制御を行うと、図７に示したように、屋外機２０から供給された水（冷水）は、往路管２２Ａを通って、床部１ａから冷たい熱を放出しながら放熱管１３内を循環し、居間５１を空調した後、復路管２２Ｂを通って、屋外機２０へ戻る。
【０１５１】
すなわち、この循環を繰り返す。
【０１５２】
次に、床上空間５、特に、居間５１を、吹出型の冷房と床面型の冷房との両方で冷やしたいときは、換気空調装置としてのエアコンディショナの屋内機３０の除湿機能をオンにし、空調空気吸込部３１から空調用の空気を吸い込み、空調空気吹出部３２から乾燥した空調用の空気（冷気）を吹き出すとともに、屋外機２０から別の熱媒循環管路２２を介して、熱媒としての水（温水）を放熱管１３内で循環させる制御を行う。
【０１５３】
このように制御を行うと、図８に示したように、居間５１の排気口８Ａから吸い込まれた空調用の空気は、ダクト９１Ａ、分岐チャンバ１１Ａ、及びダクト９１を通って、エアコンディショナの屋内機３０の空調空気吸込部３１から吸い込まれる。
【０１５４】
また、ホール５３の排気口８Ｂから吸い込まれた空調用の空気も、ダクト９１Ｂ、分岐チャンバ１１Ａ、及びダクト９１を通って、エアコンディショナの屋内機３０の空調空気吸込部３１から吸い込まれる。
【０１５５】
ここで、空調空気吹出部３２から吹き出された乾燥した空調用の空気（冷気）のうち、ダクト９２を通り、分岐チャンバ１１Ｂでダクト９２Ａ側へ分岐された分は、給気口７Ａから居間５１へ給気される。
【０１５６】
そして、この乾燥した空調用の空気（冷気）は、居間５１を空調した後、排気口８Ａからダクト９１Ａ内へ排気される。
【０１５７】
また、空調空気吹出部３２から吹き出された乾燥した空調用の空気（冷気）のうち、ダクト９２を通り、分岐チャンバ１１Ｂからダクト９２Ｂ側へ分岐された分は、給気口７Ｂから水回り設備室５２へ給気される。
【０１５８】
そして、この乾燥した空調用の空気（冷気）は、水回り設備室５２を空調した後、空調用排気口としてのドア５２ａの隙間６からホール５３へ排気され、ホール５３も空調した後、排気口８Ｂからダクト９１Ｂ内へ排気される。
【０１５９】
これと同時に、屋外機２０から供給された水（冷水）は、往路管２２Ａを通って、床部１ａから冷たい熱を放出しながら放熱管１３内を循環し、居間５１を空調した後、復路管２２Ｂを通って、屋外機２０へ戻る。
【０１６０】
すなわち、この循環を繰り返す。
【０１６１】
次に、実施例２の作用効果について説明する。
【０１６２】
このような実施例２の空調システムは、居室空間としての居間５１と非居室空間としての水回設備室５２及びホール５３とを有する床上空間５を備えた建物１Ａの床下空間４に、ヒートポンプ式の屋外機２０と熱媒循環管路２１により接続された空調装置としてのエアコンディショナの屋内機３０が設置されている。
【０１６３】
そして、居間５１の床部１ａに給気口７Ａと排気口８Ａとが設けられ、水回り設備室５２の床部１ａに給気口７Ｂが設けられ、ホール５３の床部１ａに排気口８Ｂが設けられており、屋内機３０に設けられた空調空気吹出部３２と給気口７Ａ，７Ｂとの間は、ダクト９２、分岐チャンバ１１Ｂ、ダクト９２Ａ，９２Ｂを介して、それぞれ接続されているとともに、屋内機３０に設けられた空調空気吸込部３１と排気口８Ａ，８Ｂとの間は、ダクト９１、分岐チャンバ１１Ａ、ダクト９１Ａ，９１Ｂを介して、それぞれ接続されている。
【０１６４】
そのうえで、居間５１の床部１ａ内には、放熱管１３が配設されており、屋内機３０に接続された熱媒循環管路２１とは別の熱媒循環管路２２により屋外機２０と放熱管１３との間が接続された構成とされている。
【０１６５】
こうした構成なので、居住者が短時間滞在するだけの非居室空間としての水回り設備室５２やホール５３では、比較的経済的な給気口７Ｂからの吹出型の空調により、それなりに快適な冷暖房が行えるとともに、居住者が長時間滞在する居室空間としての居間５１では、放熱管１３を利用した床面型の空調により、床面からの心地よい快適な冷暖房が行え、建物１Ｂ全体として、快適性と経済性とを兼ね備えた冷暖房が行える。
【０１６６】
また、居間５１では、給気口７Ａからの吹出型の空調も行え、より快適な冷暖房も行える。
【０１６７】
さらに、ヒートポンプを用いるため、省エネルギー性能に優れたものとすることができる。
【０１６８】
なお、他の構成及び作用効果については、実施例１と略同様であるので説明を省略する。
【０１６９】
以上、図面を参照して、本発明を実施するための形態を実施例１，２に基づいて詳述してきたが、具体的な構成は、これら実施例１，２に限らず、本発明の要旨を逸脱しない程度の設計的変更は、本発明に含まれる。
【０１７０】
例えば、上記した実施例１，２では、本発明の空調システムの説明を簡単に行えるように、建物１Ａ，１Ｂの構造などを単純化したが、これに限定されず、より複雑な建物において実施してもよい。
【０１７１】
また、上記した実施例１，２では、給気口７Ａ，７Ｂや排気口８Ａ，８Ｂなどを床部１ａに設けて実施したが、これに限定されず、これらを床上空間５の内壁などに設けて実施してもよい。
【０１７２】
さらに、上記した実施例１，２では、臨時の洗濯物干しスペースとして利用することができる非居室空間を、洗面所などの水回り設備室５２として実施したが、これに限定されず、他の湿気の多い部屋などとして実施してもよい。
【符号の説明】
【０１７３】
１Ａ    建物
１Ｂ    建物
１ａ    床部（床）
１ｂ    基礎底盤コンクリート
１ｃ    基礎側壁コンクリート（建物の外周の基礎）
１ｄ    外壁部
１ｅ    天井部
１ｆ    中間壁
１ｇ    中間壁
２      屋外機
２０    屋外機
２１    熱媒循環管路
２２    別の熱媒循環管路
２２Ａ  往路管
２２Ｂ  復路管
３      エアコンディショナの屋内機（空調装置）
３０    エアコンディショナの屋内機（空調装置）
３１    空調空気吸込部
３２    空調空気吹出部
３３    床空調空気吸込部
３４    床空調空気吹出部
４      床下空間
５      床上空間
５１    居間（居室空間）
５２    水回り設備室（非居室空間）
５３    ホール（非居室空間）
５１ａ  ドア（出入口）
５２ａ  ドア（出入口）
６      ドアの隙間（空調用排気口）
７Ａ    給気口
７Ｂ    給気口
８Ａ    排気口
８Ｂ    排気口
９１    ダクト
９１Ａ  ダクト
９１Ｂ  ダクト
９２    ダクト
９２Ａ  ダクト
９２Ｂ  ダクト
９３    ダクト
９４    ダクト
１０    通気層
１１Ａ  分岐チャンバ
１１Ｂ  分岐チャンバ
１２    断熱層
１３    放熱管
【図１】
2012021736.tif 000003
【図２】
2012021736.tif 000004
【図３】
2012021736.tif 000005
【図４】
2012021736.tif 000006
【図５】
2012021736.tif 000007
【図６】
2012021736.tif 000008
【図７】
2012021736.tif 000009
【図８】
2012021736.tif 000010